(57)【要約】      （修正有）【課題】洗濯水を再度利用して、生活用水の水として再利用する洗濯水自動回収容器を提供する。  【解決手段】洗濯機１は宅内の床２の上に設置され、洗濯機の排水管２１は宅内専用排水管３の中に入れて、この宅内専用排水管３は洗濯機の洗濯水回収容器５の下側に取付する、洗濯機の洗濯水回収容器５は、宅内専用排水管３より上側にオーバーフロー管６を設けて、その先端部は下水マス７に放流され下水マス７には下水管８が接続されている。回収容器５の洗濯水を雨水タンクに送水して、雨水タンクでは洗濯水と雨水が一緒になって、送水ポンプで、水洗トイレのロータンクに送水することで洗濯水の再利用が可能となる。【選択図】図１
2007032240.tif 000002
【特許請求の範囲】
【請求項１】
回収容器は、洗濯機の洗濯水を回収して、トイレの洗浄水に利用するための回収容器で、洗濯機の宅内専用排水管を設けて、この宅内専用排水管を回収容器の下側の位置に接続させ、宅内専用排水管より、上側の位置に回収容器のオーバーフロー管を設けて、このオーバーフロー管が、下水管に接続されることを特徴とする洗濯機の洗濯水自動回収容器。
【請求項２】
上記の回収容器の中に水位センサー２セットを設けて、回収容器の水位が一定以上になれば、水中ポンプのスイッチが入り、回収容器の中の洗濯水を別の容器として、雨水専用タンクに送水を始めるが、回収容器の水位が一定以下に下がれば水中ポンプの電源切れて送水は止まる、回収容器の水中ポンプの送水先の雨水タンクが、雨水により満水状態になると、雨水タンクの水位センサーが作動して、回収容器内のセンサーに関係なく回収容器の水中ポンプを停止させることを特徴とする雨水タンクと洗濯機の洗濯水自動回収容器の水位センサー作動システム構成。
【発明の詳細な説明】
【技術分野】
【０００１】本発明は、洗濯機において、衣類洗濯の時の洗濯水を下水管に排水される洗濯水を、下水管に流入させる一歩手前で、回収容器に一旦貯留して、洗濯水を別の容器に移して再利用させることに関する。
【背景技術】
【０００２】  従来は洗濯機の洗濯水は汚れが有る水として下水管に排水され、水としての役割を完了させていた。
【発明の開示】
【発明が解決しょうとする課題】
【０００３】  前記の洗濯水は汚れを有る水として下水管に排水され水の役割を終わりにさせていた、
本発明は洗濯水を再度利用して生活用水の水として再利用することを提案する。
【課題を解決するための手段】
【０００４】  本発明は、上記目的を達成するために、回収容器は、洗濯機の洗濯水を回収して、トイレの洗浄水に利用するための回収容器で、洗濯機の宅内専用排水管を設けて、この宅内専用排水管を回収容器の下側の位置に接続させ、宅内専用排水管より、上側の位置に回収容器のオーバーフロー管を設けて、このオーバーフロー管が、下水管に接続されることを特徴とする洗濯機の洗濯水自動回収容器で上記の課題を解決した。
【０００５】  上記の回収容器の中に水位センサー２セットを設けて、回収容器の水位が一定以上になれば、水中ポンプのスイッチが入り、回収容器の中の洗濯水を別の容器として、雨水専用タンクに送水を始めるが、回収容器の水位が一定以下に下がれば水中ポンプの電源切れて送水は止まる、回収容器の水中ポンプの送水先の雨水タンクが、雨水により満水状態になると、雨水タンクの水位センサーが作動して、回収容器のセンサーに関係なく回収容器の水中ポンプを停止させることを特徴とする雨水タンクと洗濯機の洗濯水自動回収容器の水位センサー作動システム構成。
【発明の効果】
【０００６】  上述したように、雨水タンクに洗濯水を入れてその中水をトイレのロータンク〔特許第３４６３２７３〕に給水することが出来る、トイレのロータンクに接続することが可能で、水道管と雨水管が２本が別々に配管されているロータンクの入り口には、ボールバルブが２個設置され、このボールバルブは別々に開閉動作をする、ロータンクの内部においてもボールタップが別々に２セット設置されているロータンクを利用することにより、洗濯水を再利用が可能となった。
【発明を実施するための最良の形態】
【０００７】  以下本発明の実施の形態を図１−４に基づいて説明する。
図１は洗濯機と回収容器設置断面図を示す。
洗濯機１は宅内の床２の上に設置され、洗濯機の排水管２１は宅内専用排水管３の中に入れて、この宅内専用排水管３は洗濯機の洗濯水回収容器５の下側に取付する、洗濯機の洗濯水回収容器５は、宅内専用排水管３より上側にオーバーフロー管６を設けて、その先端部は下水マス７に放流され下水マス７には下水管８が接続されている。【０００８】  図２は水位センサー作動ずを示す。
洗濯機の洗濯水回収容器５の中に回収容器センサー１０設けその先端部に浮き玉センサー１６と浮き玉ストップセンサー１７で構成され、浮き玉ストップセンサー１７が水面に浮き状態になると、センサー１７は接続される、浮き玉センサー１６も、水面に浮き状態になりますとセンサー１６接続され、回収容器センサー１０がスイッチが入ります、この時に雨水サブタンク９の水中ポンプ停止センサー１８が、水面よりはなれている状態の時はセンサー１８と回収容器センサー１０が接続され水中ポンプ１１が作動して洗濯水送水管１２を通り回収容器５の洗濯水を雨水サブタンク９に給水するが、糸くず取りフィルター１３を通して、洗濯水は雨水サブタンク９に入ります、雨水サブタンク９が満水状態になりますと、水中ポンプ停止センサー１８が水面より浮き状態になりますと、センサー１８は断になり水中ポンプ１１は停止します、水中ポンプ１１が停止状態で、洗濯機１より洗濯水が洗濯機の洗濯水回収容器５の中に入り、この回収容器５が満水状態になりますとオーバーフロー管６より下水マス７に放流されます、雨水タンク９が常に空の時は、回収容器５に洗濯水がはいればセンサー１６と１７の作動により水中ポンプ１１が作動して、雨水サブタンク９に送水する、水中ポンプ１１が停止する条件は回収容器５の水位が下がり回収ストップセンサー１７が水面より離れた状態で回収容器センサー１０は断となり水中ポンプ１１が停止する。【０００９】  雨水サブタンク９の中にある、雨水メインタンクセンサー１９はセンサー１９は水面より離れると断となりトイレのロータンク送水ポンプ２３の電源が断となります。【００１０】  図３は回収容器と雨水サブタンク平面図を示す。
洗濯機１が宅内専用排水管３に接続され、洗濯機の洗濯水回収容器５は洗濯水の水位が上がれば回収容器自身が回収容器オーバーフロー管６より、下水マス７に放流されます、水中ポンプ１１が作動すれば雨水サブタンク９に糸くず取りフィルター１３を通して洗濯水給水します。【００１１】  図４は回収容器と雨水サブタンクと雨水メインタンク及びトイレのロータンクの接続図を示す。
洗濯水が洗濯機の洗濯水回収容器５の中へ入り、水中ポンプ１１で雨水サブタンク９に送り、雨水サブタンク９は雨水メインタンク送水管１５を通り雨水メインタンク２２に入ります、雨水メインタンク２２は縦どい２０にも接続されてます、屋根に降った雨は縦どい２０を通って雨水メインタンク２２に入ります、雨水が雨水メインタンク２２を満水になれば、雨水メインタンク接続管１５より、雨水サブタンク９に入り、水中ポンプ停止センサー１８まで水位が上りますと水中ポンプ１１の電源が断となるため、洗濯水は雨水サブタンク９は入ることは出来ません、トイレのロータンク送水ポンプ２３は中水送水管２４よりトイレのロータンク３０の中水切替バレブ２５に接続され、切替レバー中水給水状態２８であれば、トイレのロータンク３０が空になれば、中水ボールタップ３２が作動して、トイレのロータンクの送水ポンプ２３より給水が始まります、トイレのロータンク３０が満水状態になれば中水ボウルタップ３２により、トイレのロータンクの送水ポンプ２３が停止します。
【図面の簡単な説明】
【００１２】
【図１】洗濯機と回収容器設置断面図
【図２】水位センサー作動構成図
【図３】回収容器と雨水サブタンク平面図
【図４】回収容器と雨水サブタンクと雨水メインタンク及びトイレのロータンク接続図
【符号の説明】
【００１３】１．洗濯機
２．床
３．宅内専用排水管
４．外壁
５．洗濯機の洗濯水回収容器
６．回収容器オーバーフロー管
７．下水マス
８．下水管
９．雨水サブタンク
１０．回収容器センサー
１１．水中ポンプ
１２．洗濯水送水管
１３．糸くず取りフィルター
１４．雨水サブタンクセンサー
１５．雨水メインタンク接続管
１６．浮き玉回収センサー
１７．浮き玉ストップセンサー
１８．水中ポンプ停止センサー
１９．雨水メインタンクセンサー
２０．縦どい
２１．洗濯機の排水管
２２．雨水メインタンク
２３．トイレのロータンク送水ポンプ
２４．中水送水管
２５．中水切替バレブ
２６．水道水切替バルブ
２７．切替レバー水道水給水状態
２８．切替レバー中水給水状態
２９．電源端子
３０．トイレのロータンク
３１．水道水ボールタップ
３２．中水ボールタップ、
【図１】
2007032240.tif 000003
【図２】
2007032240.tif 000004
【図３】
2007032240.tif 000005
【図４】
2007032240.tif 000006